(57)【要約】【課題】躯体に確実に固定可能な新設建具を得る。【解決手段】新設建具１００は、建具枠１１０と内額縁１７０と親子ドア６００とを主に備える。建具枠１１０は、枠本体１２０と金属部材１４０とを主に備える。枠本体１２０は、建具枠１１０の高さ方向全長に渡って図１に示される水平断面形状を有し、例えばアルミニウム合金等の軽金属から成る略矩形の外側枠１２１及び内側枠１２２と、外側枠１２１と内側枠１２２とを接続する断熱部材１２３とから主に構成される。内額縁１７０を建具枠１１０に取り付けた状態では、第２の額縁側接合部１８１が第１の枠側接合部１４３と接合あるいは嵌合し、第１の額縁側接合部１９３が第２の枠側接合部１４４と接合あるいは嵌合する。【選択図】図２
2019157589.tif 000002
【特許請求の範囲】
【請求項１】
建築物の既設建具枠に取り付けられる建具枠と、
前記建具枠の室内側に取り付けられる内額縁とを備え、
前記建具枠は、室内側に向かって延びて建築物の躯体に第１の固定具を用いて固定される枠固定部と、前記内額縁に向けて突出する枠側接合部とを有し、
前記内額縁は、見付方向に対する長さを調整可能な見付方向額縁部と、前記内額縁から突出して前記枠側接合部と接合可能な額縁側接合部とを備え、前記第１の固定具を外部から覆うように前記建具枠に取り付けられる
建具。
【請求項２】
前記内額縁は、前記見付方向額縁部に接続される見込方向額縁部と、前記見付方向額縁部が延びる方向に対して前記見込方向額縁部から所定の間隔をあけて、前記見付方向額縁部から前記建具枠に向けて延びる仮受部とを備え、
前記額縁側接合部は、前記仮受部から前記枠固定部に向けて延びる第１の額縁側接合部を成す請求項１に記載の建具。
【請求項３】
前記枠側接合部が前記内額縁に向けて突出する長さは、前記躯体に前記枠固定部を前記第１の固定具を用いて固定した状態において、前記第１の固定具の頭部が前記枠固定部から突出する長さよりも長い請求項１又は２に記載の建具。
【請求項４】
前記内額縁は、前記見付方向額縁部に接続される見込方向額縁部を備え、
前記額縁側接合部は、前記見込方向額縁部から突出する第２の額縁側接合部を成す請求項１から３のいずれかに記載の建具。
【請求項５】
前記内額縁は、前記見付方向額縁部に接続される見込方向額縁部と、前記見込方向額縁部と平行に前記見付方向額縁部から前記建具枠に向けて延びる仮受部とを備え、
前記額縁側接合部は、前記仮受部から前記枠固定部に向けて延びる第１の額縁側接合部を成す請求項１から４のいずれかに記載の建具。
【請求項６】
前記内額縁は、前記見付方向額縁部に接続されて前記建具枠の見込方向に延びる見込方向額縁部と、前記見込方向額縁部から前記枠固定部に向けて延びる仮受部とを備える請求項１から５のいずれかに記載の建具。
【請求項７】
前記建具枠は、第２の固定具を用いて前記枠固定部が固定される枠本体をさらに備える請求項１から６のいずれかに記載の建具。
【請求項８】
前記見付方向額縁部において、前記建具枠に対向する面には折り取り溝が設けられる請求項１から７のいずれかに記載の建具。
【発明の詳細な説明】
【技術分野】
【０００１】
本発明は、既設建具に取り付けられる新設建具に関する。
【背景技術】
【０００２】
従来、既設の建具枠に取り付けられる新設建具が知られている。新設建具は窓枠と化粧額縁とを備える。窓枠はねじを用いて既設の建具枠に固定され、化粧額縁は、内面に設けられたコ字形部を窓枠から延びるＬ字形部に嵌合させることにより、窓枠に固定される（特許文献１参照）。
【先行技術文献】
【特許文献】
【０００３】
【特許文献１】特公平３−１０７９６号公報
【発明の概要】
【発明が解決しようとする課題】
【０００４】
ところで、既設の建具枠に新設の窓枠をねじで取り付ける構成では、既設建具枠の強度が低いなどの場合、経年劣化によりねじが既設建具枠から緩んだり抜けたりして、既設建具枠と新設建具との間にガタが出る可能性があり、また、経年劣化などの理由により既設建具枠が建築物の躯体に対して動いてしまう可能性がある。このような状況の下では、新設建具が正常に開閉できなくなるおそれが生じる。
【０００５】
本発明はこのような課題に鑑みてなされたものであり、躯体に確実に固定可能な新設建具を得ることを目的とする。
【課題を解決するための手段】
【０００６】
本願発明による建具は、建築物の既設建具枠に取り付けられる建具枠と、建具枠の室内側に取り付けられる内額縁とを備え、建具枠は、室内側に向かって延びて建築物の躯体に第１の固定具を用いて固定される枠固定部と、内額縁に向けて突出する枠側接合部とを有し、内額縁は、見付方向に対する長さを調整可能な見付方向額縁部と、内額縁から突出して枠側接合部と接合可能な額縁側接合部とを備え、第１の固定具を外部から覆うように建具枠に取り付けられることを特徴とする。
【０００７】
内額縁は、見付方向額縁部に接続される見込方向額縁部と、見付方向額縁部が延びる方向に対して見込方向額縁部から所定の間隔をあけて、見付方向額縁部から建具枠に向けて延びる仮受部とを備え、額縁側接合部は、仮受部から枠固定部に向けて延びる第１の額縁側接合部を成すことが好ましい。
【０００８】
枠側接合部が内額縁に向けて突出する長さは、躯体に枠固定部を第１の固定具を用いて固定した状態において、第１の固定具の頭部が枠固定部から突出する長さよりも長いことが好ましい。
【０００９】
内額縁は、見付方向額縁部に接続される見込方向額縁部を備え、額縁側接合部は、見込方向額縁部から突出する第２の額縁側接合部を成すことが好ましい。
【００１０】
内額縁は、見付方向額縁部に接続される見込方向額縁部と、見付方向額縁部から見込方向額縁部と平行に建具枠に向けて延びる仮受部とを備え、額縁側接合部は、仮受部から枠固定部に向けて延びる第１の額縁側接合部を成すことが好ましい。
【００１１】
内額縁は、見付方向額縁部に接続されて建具枠の見込方向に延びる見込方向額縁部と、見込方向額縁部から枠固定部に向けて延びる仮受部とを備えることが好ましい。
【００１２】
建具枠は、第２の固定具を用いて枠固定部が固定される枠本体をさらに備えることが好ましい。
【００１３】
見付方向額縁部において、建具枠に対向する面には折り取り溝が設けられることが好ましい。
【発明の効果】
【００１４】
本発明によれば、躯体に確実に固定可能な新設建具が提供される。
【図面の簡単な説明】
【００１５】
【図１】第１の実施形態による建具の水平方向断面図である。
【図２】建具の水平方向一部断面図である。
【図３】新設の建具枠に内額縁を取り付ける過程を示す水平方向一部断面図である。
【図４】第２の実施形態による建具の水平方向一部断面図である。
【発明を実施するための形態】
【００１６】
本発明の第１の実施形態による新設建具１００について図１から３を用いて説明する。図１は、建築物の既設建具枠２１０及び躯体２２０に取り付けられた新設建具１００を水平面で切断して示した図であり、図２は、その一部拡大図である。以下、本明細書において、新設建具１００が躯体２２０に取り付けられている状態において鉛直方向に沿う長さを高さ、建築物の外壁面と平行かつ水平方向に沿う長さを幅、建築物の外壁面と直角かつ水平方向に沿う長さを厚さという。また、図１から４において左右方向を見付方向、天地方向を見込方向という。
【００１７】
図１を参照すると、新設建具１００は、建具枠１１０と内額縁１７０と親子ドア６００と外額縁１０とを主に備える。親子ドア６００は、親扉６００ａと子扉６００ｂとを主に備える。なお、図１では、簡略化のため、親扉６００ａと子扉６００ｂの幅方向において各々の中央部を省略している。図２を参照すると、建具枠１１０は、枠本体１２０と金属部材１４０とを主に備える。枠本体１２０は、建具枠１１０の高さ方向全長に渡って図１に示される水平断面形状を有し、例えばアルミニウム合金等の軽金属から成る略矩形の外側枠１２１及び内側枠１２２と、外側枠１２１と内側枠１２２とを接続する断熱部材１２３とから主に構成される。
【００１８】
外側枠１２１において内側（図２において右側。以下に同じ）の側面には、高さ方向に複数のヒンジ６０１が取り付けられる。親子ドア６００が、ヒンジ６０１を介して建具枠１１０に取り付けられる（図１参照）。
【００１９】
金属部材１４０は、例えばアルミニウム合金等の軽金属から成り、建具枠１１０の高さ方向全長に渡って略クランク型の水平断面を有し、枠本体１２０に取り付けられる支持部１４１と、支持部１４１から室内側に延びる枠固定部１４２とから主に構成される。
【００２０】
支持部１４１は、Ｌ字型の水平断面形状を有する。Ｌ字型において見込方向に走る辺は、枠本体１２０の側面のうち、既設建具枠２１０と対向する側面に密着し、第２の固定具を成すネジ１０１を用いて枠本体１２０に固定される。ネジ１０１は、支持部１４１の高さ方向に渡って、適切な間隔を空けて複数設けられる。支持部１４１のＬ字型において見付方向に走る辺は枠本体１２０の室内側側面に密着し、辺の端部は室内側に向けて突出して第１の枠側接合部１４３を形成する。
【００２１】
枠固定部１４２は、支持部１４１のＬ字型の角部と第１の枠側接合部１４３との間から、支持部１４１と直角を成すように室内側へ向けて延びる。枠固定部１４２の室内側端部は、直角に曲げられて第２の枠側接合部１４４を成す。第２の枠側接合部１４４の端部は、室外側に向けてわずかに突出する。枠固定部１４２は、第１の固定具であるネジ１０２を介して躯体２２０に固定される。枠固定部１４２と躯体２２０との間に、木部材１０３が設けられる。ネジ１０２は、枠固定部１４２の高さ方向に渡って、適切な間隔を空けて複数設けられる。これにより、建具枠１１０が躯体２２０に固定される。第２の枠側接合部１４４の先端から枠固定部１４２までの距離は、ネジ１０２の頭部の軸方向長さよりも長い。
【００２２】
また、既設建具枠２１０において、支持部１４１と対向する面に板状部材１５がネジ１６により固定される。板状部材１５と枠本体１２０及び支持部１４１との間に、木部材、スポンジ状の弾性部材、及びコーキング等が設けられる。
板状部材１５は、既設建具枠２１０を超えて室外側に突出し、この突出する部位に外側枠１２１がネジ１７により固定される。
【００２３】
次に、内額縁１７０について説明する。内額縁１７０は、例えばアルミニウム合金等の軽金属から成るＬ字型の水平断面形状を有し、見込方向額縁部１８０と、見付方向額縁部１９０と、仮受部１９２とを主に備える。
【００２４】
見込方向額縁部１８０は、建具枠１１０の高さ方向全長に渡って見込方向に延びる薄板形状である。見込方向額縁部１８０の室内側端部には、コの字型の返し１８２が設けられ、返し１８２の先端から見付方向に延びる第２の額縁側接合部１８１が設けられる。第２の額縁側接合部１８１の突出端は、わずかに室内側に向けて傾斜し、見込方向額縁部１８０全体の弾性を利用することにより、見込方向に移動可能である。
【００２５】
見付方向額縁部１９０は、建具枠１１０の高さ方向全長に渡って見付方向に延びる薄板形状であって、見付方向額縁部１９０の室外側面、すなわち建具枠１１０に対向する面には、所定の間隔で複数の折り取り溝１９１が高さ方向全長に渡って設けられる。折り取り溝１９１に沿って見付方向額縁部１９０を折り曲げることにより、見付方向額縁部１９０の一部を折り取って、見付方向額縁部１９０の見付方向長さを調節することが可能である。
【００２６】
仮受部１９２は、均一な厚みを有する板状の部材であって、見付方向に対して見込方向額縁部１８０から所定の間隔をあけて、見付方向額縁部１９０の室外側面から室外側に向けて突出する、言い換えると見込方向に延びる。仮受部１９２から見込方向額縁部１８０までの見付方向長さは、返し１８２の見付方向長さと等しい。仮受部１９２は、第１の額縁側接合部１９３を備える。第１の額縁側接合部１９３は、見付方向額縁部１９０から所定の間隔を空けた位置から、見付方向額縁部１９０と平行に突出する。第１の額縁側接合部１９３の突出端は、わずかに室外側に向けて傾斜し、自らの弾性を利用することにより、見込方向に移動可能である。
【００２７】
内額縁１７０を建具枠１１０に取り付けた状態では、第２の額縁側接合部１８１が第１の枠側接合部１４３と接合あるいは嵌合し、第１の額縁側接合部１９３が第２の枠側接合部１４４と接合あるいは嵌合する。
【００２８】
第２の額縁側接合部１８１及び第１の額縁側接合部１９３は、突出方向中程からわずかに突出する突起を備える。この突起が第１の枠側接合部１４３及び第２の枠側接合部１４４の先端と係合して、第２の額縁側接合部１８１及び第１の額縁側接合部１９３から第１の枠側接合部１４３及び第２の枠側接合部１４４が外れることを防ぐ。
【００２９】
また、第２の枠側接合部１４４の先端から枠固定部１４２までの距離は、ネジ１０２の頭部の軸方向長さよりも長いため、内額縁１７０が建具枠１１０に取り付けられたときに、枠固定部１４２に仮受部１９２が係合して、仮受部１９２がネジ１０２の頭部に当たることなく、建具枠１１０に内額縁１７０を確実に取り付けられる。そして、内額縁１７０がネジ１０２を外部から覆い隠して、ネジ１０２が室内側から見えなくなり、意匠性が向上する。
【００３０】
外額縁１０は、高さ方向に連続する略コの字型の水平断面を有し、室外側から建具枠１１０の一部及び既設建具枠２１０を覆うように建築物に取り付けられる。外額縁１０の一端は、建具枠１１０にネジ１２を用いて固定され、ネジ１２はカバー１３で覆われることにより外部から隠される。これにより、新設建具１００の意匠性が向上する。また、外額縁１０の他端は建築物の外壁に対向し、他端と外壁との間にはシーリング１４が設けられる。シーリング１４は、他端と外壁との間に雨水や粉塵が侵入することを防ぐとともに、意匠性を向上させる。
【００３１】
次に、図２及び３を用いて、内額縁１７０を建具枠１１０に取り付ける手段について説明する。なお、内額縁１７０を建具枠１１０に取り付ける前に、前述のように、ネジ１０１、１０２を用いて建具枠１１０が既設建具枠２１０及び躯体２２０に取り付けられているものとする。
【００３２】
まず、図３を参照すると、見付方向額縁部１９０は、破線で示された部分を既に折り取った状態で示されている。見付方向額縁部１９０から、破線で示された部分を折り取る手段について説明する。
【００３３】
折り取る前には、まず、仮受部１９２を第２の枠側接合部１４４に係合させた状態で、見付方向額縁部１９０の先端が既存室内額縁２２１に対して直角になるか否かを判断する。この状態で、見付方向額縁部１９０を折り取る長さを決定し、次に、その長さだけ見付方向額縁部１９０の先端を折り取る。そして、再度、仮受部１９２を第２の枠側接合部１４４に係合させて、見付方向額縁部１９０の先端が既存室内額縁２２１に対して直角になっていることを確認する。このとき、見付方向額縁部１９０と既存室内額縁２２１との間に隙間が空いていても良い。隙間は図示されないシーリングによって覆われる。
【００３４】
前述のとおり、仮受部１９２は見込方向額縁部１８０と平行に延び、返し１８２の見付方向長さと、仮受部１９２から見込方向額縁部１８０までの見付方向長さは等しい。そのため、仮受部１９２を第２の枠側接合部１４４に係合させた状態における見込方向額縁部１８０から既存室内額縁２２１までの長さは、内額縁１７０を建具枠１１０に取り付けた状態における見込方向額縁部１８０から既存室内額縁２２１までの長さと等しい。そのため、仮受部１９２を第２の枠側接合部１４４に係合させた状態で、すなわち内額縁１７０を建具枠１１０に取り付ける前に、見込方向額縁部１８０から既存室内額縁２２１までの長さ、すなわち見付方向額縁部１９０の好ましい長さを知ることができる。
【００３５】
次に、内額縁１７０を建具枠１１０に取り付ける。このとき、前述のように、第２の額縁側接合部１８１の突出端は、わずかに室内側に向けて傾斜し、第１の額縁側接合部１９３の突出端は、わずかに室外側に向けて傾斜しており、また、第２の額縁側接合部１８１及び第１の額縁側接合部１９３の突出端は、見込方向に移動可能である。そのため、第２の額縁側接合部１８１及び第１の額縁側接合部１９３の突出端を第１の枠側接合部１４３及び第２の枠側接合部１４４に押しつけると、突出端の傾斜に応じて第２の額縁側接合部１８１及び第１の額縁側接合部１９３が見込方向に移動して、第１の枠側接合部１４３及び第２の枠側接合部１４４と容易に係合する。そして、前述した第２の額縁側接合部１８１及び第１の額縁側接合部１９３の突起が第１の枠側接合部１４３及び第２の枠側接合部１４４の先端と係合して、第２の額縁側接合部１８１及び第１の額縁側接合部１９３から第１の枠側接合部１４３及び第２の枠側接合部１４４が外れることを防ぐ。これにより、内額縁１７０が建具枠１１０に取り付けられる。
【００３６】
本実施形態によれば、ネジ１０２が枠固定部１４２及び既設建具枠２１０を貫通して躯体２２０にねじ込まれることにより、新設建具１００が躯体２２０及び既設建具枠２１０に確実に固定されるため、経年劣化などの理由により、既設建具枠２１０と新設建具１００との間にガタが生じたり、既設建具枠２１０が躯体２２０に対して動いてしまったりする可能性を減少させて、新設建具１００を長期間にわたって正常に開閉させることができる。
【００３７】
内額縁１７０を固定するためにネジを用いず、内額縁１７０を建具枠１１０に押しつけるだけで取り付けることができる。これにより、施工期間を短縮できる。また、内額縁１７０の室内側にネジが露出しないため、室内側の意匠性を向上させることができる。
【００３８】
また、例えば見付方向額縁部１９０を平行に２枚設け、その間に渡した板と躯体２２０とをネジで固定することにより内額縁１７０をネジで固定する構成では、２枚の見付方向額縁部１９０を各々折り取って見付方向長さを調節する必要があるが、本実施形態では１枚の見付方向額縁部１９０を折り取るのみで、見付方向額縁部１９０の見付方向長さを調節できるため、作業が容易になると共に、施工期間を短縮できる。
【００３９】
内額縁１７０を建具枠１１０と固定させた後に取り外すと、第２の額縁側接合部１８１及び第１の額縁側接合部１９３や、第１の枠側接合部１４３及び第２の枠側接合部１４４の形状が変形する。そのため、内額縁１７０を建具枠１１０と再度固定させようとしても、初回のように完全に固定させることができない。そこで、本実施形態のように仮受部１９２を設けて、内額縁１７０を建具枠１１０と完全に固定させる前に、内額縁１７０と既存室内額縁２２１との取り合いを確認できる構成とすれば、内額縁１７０を建具枠１１０と何度も着脱することなく、内額縁１７０を取り付ける前に見付方向額縁部１９０の見付方向長さを確実に調節できる。そのため、内額縁１７０を建具枠１１０に完全に固定した後に見付方向額縁部１９０の見付方向長さを再度調節するなどの作業の手戻りがなくなって、施工期間を短縮できると共に、見付方向長さを再度調節できないことによる見栄えの低下がなくなって意匠性を向上できる。
【００４０】
本発明の第２の実施形態による新設建具３００について図４を用いて説明する。第１の実施形態と同様の構成については、同じ符号を付して説明を省略する。図４は、建築物の既設建具枠２１０に取り付けられた新設建具３００を室外側正面から示した図である。
【００４１】
新設建具３００は、建具枠３１０と内額縁１７０と親子ドア６００とを主に備える。建具枠３１０は枠本体３２０を主に備える。枠本体３２０は、建具枠３１０の高さ方向全長に渡って図１に示される水平断面形状を有し、例えばアルミニウム合金等の軽金属から成る略矩形の外側枠１２１及び内側枠３２２と、外側枠１２１と内側枠３２２とを接続する断熱部材１２３とから主に構成される。
【００４２】
内側枠３２２は、略矩形断面を有する内側枠本体３２３と、内側枠本体３２３の室内側側面から室内側に向けて延びる枠固定部３４２とから主に構成される。枠固定部３４２は、内側枠本体３２３の室内側側面の見付方向略中央から直角を成すように室内側へ向けて延びる。枠固定部３４２の室内側端部は、直角に曲げられて第２の枠側接合部３４４を成す。第２の枠側接合部３４４の端部は、室外側に向けてわずかに突出する。内側枠本体３２３の室内側側面において、枠固定部３４２よりも内側（図４において右側）から室内側に向けて突出する第１の枠側接合部３４３が形成される。枠固定部３４２は、ネジ１０２を介して躯体２２０に固定される。ネジ１０２は、枠固定部１４２の高さ方向に渡って、適切な間隔を空けて複数設けられる。これにより、建具枠１１０が躯体２２０に固定される。
【００４３】
枠固定部３４２、第１の枠側接合部３４３、第２の枠側接合部３４４は、第１の実施形態における枠固定部１４２、第１の枠側接合部１４３、第２の枠側接合部１４４と各々対応し、同様の機能を有する。
【００４４】
本実施形態によれば、第１の実施形態と同様の効果を得る。また、金属部材１４０を設ける必要がないため、金属部材１４０の取り付けに要する手間を省くことができ、これにより施工期間を短縮できる。
【００４５】
なお、新設建具１００、３００は親子ドア６００を備えるとして説明したが、親子ドア６００の代わりに、窓等を取り付けてもよい。
【００４６】
また、金属部材１４０は、アルミニウム合金等の軽金属でなく、鉄等の金属から成るものであってもよい。
【００４７】
また、第１及び第２の固定具はネジ１０１、１０２でなく、物を固定するために用いられるリベットその他の接合具であってもよい。そして、枠本体１２０をネジで躯体２２０や既設建具枠２１０に固定してもよい。
【００４８】
また、第２の枠側接合部１４４、３４４を仮受部１９２に設け、かつ第１の額縁側接合部１９３を枠固定部１４２、３４２に設けてもよく、第１の枠側接合部１４３、３４３を返し１８２に設け、第２の額縁側接合部１８１を枠固定部１４２、３４２に設けてもよい。
【００４９】
また、折り取り溝１９１は、見付方向額縁部１９０の室外側面でなく、その裏面、すなわち室内側面に設けられてもよい。そして、折り取り溝１９１は必須の構成ではなく、折り取り溝１９１を設けずに、カッターその他の切断工具を用いて見付方向額縁部１９０を切断してもよい。
【００５０】
仮受部１９２は、見付方向額縁部１９０から突出しなくてもよく、見込方向額縁部１８０から躯体に向けて所定の間隔だけ突出するＩ字型、Ｌ字型、あるいはＴ字型の部材であってもよい。ここで、所定の間隔は、仮受部１９２において述べた間隔と同様である。この場合、部材の見込方向長さは、見付方向額縁部１９０の長さを決定するときに、部材が第２の枠側接合部１４４、３４４と係合できる程度の長さであればよい。
【００５１】
新設建具１００、３００は親子ドア６００を備えるとして説明したが、親子ドア６００の代わりに、片開きドアを備えてもよい。片開きドアを備える新設建具は、図１において左右方向に対向して設けられる２つの建具枠１１０のうち、いずれか一方にのみヒンジ６０１が設けられ、他方には設けられず、片開きドアはヒンジ６０１を中心に回動する。
【００５２】
なお、本明細書および図中に示した各部材の大きさは例示であって、これらの大きさに限定されない。また、各部材の素材は例示であって、これらの素材に限定されない。ここに付随する図面を参照して本発明の実施形態が説明されたが、記載された発明の範囲と精神から逸脱することなく、変形が各部の構造と関係に施されることは、当業者にとって自明である。
【符号の説明】
【００５３】
１００  新設建具
１０１  ネジ
１０２  ネジ
１１０  建具枠
１２０  枠本体
１２１  外側枠
１２２  内側枠
１２３  断熱部材
１４０  金属部材
１４１  支持部
１４２  枠固定部
１４３  第１の枠側接合部
１４４  第２の枠側接合部
１７０  内額縁
１８０  見込方向額縁部
１８１  第１の額縁側接合部
１８２  返し
１９０  見付方向額縁部
１９１  折り取り溝
１９２  仮受部
１９３  第２の額縁側接合部
２１０  既設建具枠
２２０  躯体
２２１  既存室内額縁
３００  新設建具
３１０  建具枠
３２０  枠本体
３２２  内側枠
３２３  内側枠本体
３４２  枠固定部
３４３  第１の枠側接合部
３４４  第２の枠側接合部
６００  親子ドア
６０１  ヒンジ
【図１】
2019157589.tif 000003
【図２】
2019157589.tif 000004
【図３】
2019157589.tif 000005
【図４】
2019157589.tif 000006